【手続補正書】
【提出日】平成17年6月9日(2005.6.9)
【手続補正１】
【補正対象書類名】特許請求の範囲
【補正対象項目名】全文
【補正方法】変更
【補正の内容】
【特許請求の範囲】
【請求項１】
複数のデータ・セグメントに対するアクセスを提供する方法であって、
複数のオーディオ・キューをメモリに記憶するステップであって、各オーディオ・キューが、所定数の記憶されたオーディオ・キューまたはデータ・セグメントをそれぞれ表す、前記複数のオーディオ・キューをメモリに記憶するステップと、
第１の所定数の記憶されたオーディオ・キューに対するアクセスを提供するステップと、
第１のユーザ要求に応答して、前記第１の所定数の記憶されたオーディオ・キューのうちの１つを再生するステップと、
第２のユーザ要求に応答して、データ・セグメントまたは第２の所定数の記憶されたオーディオ・キューのうちの１つを取り出すステップと、
を含む、複数のデータ・セグメントに対するアクセスを提供する方法。
【請求項２】
前記取り出されたデータ・セグメントが、オーディオ・データ・セグメント、ビデオ、テキストまたはグラフィック・データ・セグメント、あるいはデバイスの動作を制御するために使用されるデータ・セグメントのうちの１つである、請求項１に記載の複数のデータ・セグメントに対するアクセスを提供する方法。
【請求項３】
前記オーディオ・データ・セグメントが再生される、前記ビデオ、テキストまたはグラフィック・データ・セグメントが表示される、あるいは前記デバイスの動作が開始されるように、前記取り出したデータ・セグメントを処理するステップを含む、請求項２に記載の複数のデータ・セグメントに対するアクセスを提供する方法。
【請求項４】
前記複数のオーディオ・キューを記憶するステップが、
それぞれが所定数のオーディオ・キューを含む複数のレベルを有するデータ木構造で、前記複数のオーディオ・キューを記憶するステップを含む、請求項１に記載の複数のデータ・セグメントに対するアクセスを提供する方法。
【請求項５】
前記第１の所定数の記憶されたオーディオ・キューへのアクセスを提供するステップが、前記記憶されたデータ木構造内の第１のレベルのオーディオ・キューへのアクセスを提供することを含み、前記第２の所定数の記憶されたオーディオ・キューへのアクセスを提供するステップが、前記記憶されたデータ木構造内の第２のレベルのオーディオ・キューへのアクセスを提供することを含み、前記第２のレベルは前記第１のレベルにリンクされている、請求項４に記載の複数のデータ・セグメントに対するアクセスを提供する方法。
【請求項６】
前記複数のオーディオ・キューを記憶するステップが、
記憶する前に、オーディオ・データ・セグメントをサンプリングする、ユーザの声を録音する、またはコンピュータが生成した音声を記録することにより、前記複数のオーディオ・キューを作成するステップを含む、請求項１に記載の複数のデータ・セグメントに対するアクセスを提供する方法。
【請求項７】
前記複数のオーディオ・キューを記憶するステップが、
複数の既存のオーディオ・キューをダウンロードするステップを含む、請求項１に記載の複数のデータ・セグメントに対するアクセスを提供する方法。
【請求項８】
前記第１の所定数の記憶されたオーディオ・キューへのアクセスを提供するステップが、
前記第１の所定数のオーディオ・キューを、仮想構成上の複数の点にマップするステップを含む、請求項１に記載の複数のデータ・セグメントに対するアクセスを提供する方法。
【請求項９】
前記第１の所定数の記憶されたオーディオ・キューのうちの１つを再生するステップが、
前記仮想構成上の或る一点から所定距離内をユーザが検索したときに、前記一点に関連する１つのオーディオ・キューが再生されるように、前記仮想構成に沿ったユーザのナビゲーションを追跡するステップを含む、請求項８に記載の複数のデータ・セグメントに対するアクセスを提供する方法。
【請求項１０】
コンピュータ・システム、ステレオ・システム、ホーム・エンターテインメント・センタ、自動車用音楽システム、または電子装置のうちの１つに組み込まれる、請求項１に記載の複数のデータ・セグメントに対するアクセスを提供する方法。
【手続補正２】
【補正対象書類名】明細書
【補正対象項目名】発明の名称
【補正方法】変更
【補正の内容】
【発明の名称】複数のデータ・セグメントに対するアクセスを提供する方法
【手続補正３】
【補正対象書類名】明細書
【補正対象項目名】０００８
【補正方法】変更
【補正の内容】
【０００８】
本発明の更に別の特徴は、コンピュータ読取り可能媒体に記憶されたオーディオ・キューのマルチレベル・データ木構造を含んでいることである。各レベルは、所定数のオーディオ・キューを含んでいる。所定のレベルの各オーディオ・キューは、マルチレベル・データ木構造内の別のレベルまたはデータ・セグメントにリンクされる。
特許請求の範囲と実施例との対応関係を実施例で使われている参照番号を用いて示すと以下の通りである。
（請求項１）
複数のデータ・セグメントに対するアクセスを提供する方法であって、
複数のオーディオ・キュー（８２）をメモリに記憶するステップであって、各オーディオ・キューが、所定数の記憶されたオーディオ・キュー（８２）またはデータ・セグメントをそれぞれ表す、前記複数のオーディオ・キュー（８２）をメモリに記憶するステップと、
第１の所定数の記憶されたオーディオ・キュー（８２）に対するアクセスを提供するステップと、
第１のユーザ要求に応答して、前記第１の所定数の記憶されたオーディオ・キュー（８２）のうちの１つを再生する（１２２）ステップと、
第２のユーザ要求に応答して、データ・セグメントまたは第２の所定数の記憶されたオーディオ・キュー（８２）のうちの１つを取り出す（１３２）ステップと、
を含む、複数のデータ・セグメントに対するアクセスを提供する方法。
（請求項２）
前記取り出されたデータ・セグメントが、オーディオ・データ・セグメント、ビデオ、テキストまたはグラフィック・データ・セグメント、あるいはデバイスの動作を制御するために使用されるデータ・セグメントのうちの１つである、請求項１に記載の複数のデータ・セグメントに対するアクセスを提供する方法。
（請求項３）
前記オーディオ・データ・セグメントが再生される、前記ビデオ、テキストまたはグラフィック・データ・セグメントが表示される、あるいは前記デバイスの動作が開始されるように、前記取り出したデータ・セグメントを処理する（１３２）ステップを含む、請求項２に記載の複数のデータ・セグメントに対するアクセスを提供する方法。
（請求項４）
前記複数のオーディオ・キュー（８２）を記憶するステップが、
それぞれが所定数のオーディオ・キュー（８２）を含む複数のレベル（７２〜８０）を有するデータ木構造（７０）で、前記複数のオーディオ・キュー（８２）を記憶するステップを含む、請求項１に記載の複数のデータ・セグメントに対するアクセスを提供する方法。
（請求項５）
前記第１の所定数の記憶されたオーディオ・キュー（８２）へのアクセスを提供するステップが、前記記憶されたデータ木構造（７０）内の第１のレベル（７２〜８０）のオーディオ・キュー（８２）へのアクセスを提供することを含み、前記第２の所定数の記憶されたオーディオ・キュー（８２）へのアクセスを提供するステップが、前記記憶されたデータ木構造（７０）内の第２のレベル（７２〜８０）のオーディオ・キュー（８２）へのアクセスを提供することを含み、前記第２のレベル（７２〜８０）は前記第１のレベル（７２〜８０）にリンクされている、請求項４に記載の複数のデータ・セグメントに対するアクセスを提供する方法。
（請求項６）
前記複数のオーディオ・キュー（８２）を記憶するステップが、
記憶する前に、オーディオ・データ・セグメントをサンプリングする、ユーザの声を録音する、またはコンピュータが生成した音声を記録することにより、前記複数のオーディオ・キュー（８２）を作成するステップを含む、請求項１に記載の複数のデータ・セグメントに対するアクセスを提供する方法。
（請求項７）
前記複数のオーディオ・キュー（８２）を記憶するステップが、
複数の既存のオーディオ・キュー（８２）をダウンロードするステップを含む、請求項１に記載の複数のデータ・セグメントに対するアクセスを提供する方法。
（請求項８）
前記第１の所定数の記憶されたオーディオ・キュー（８２）へのアクセスを提供するステップが、
前記第１の所定数のオーディオ・キュー（８２）を、仮想構成（５０）上の複数の点（５２〜６０）にマップするステップを含む、請求項１に記載の複数のデータ・セグメントに対するアクセスを提供する方法。
（請求項９）
前記第１の所定数の記憶されたオーディオ・キュー（８２）のうちの１つを再生するステップが、
前記仮想構成（５０）上の或る一点（５２〜６０）から所定距離内をユーザが検索したときに、前記一点（５２〜６０）に関連する１つのオーディオ・キューが再生されるように、前記仮想構成（５０）に沿ったユーザのナビゲーションを追跡する（１１０）ステップを含む、請求項８に記載の複数のデータ・セグメントに対するアクセスを提供する方法。
（請求項１０）
コンピュータ・システム、ステレオ・システム、ホーム・エンターテインメント・センタ、自動車用音楽システム、または電子装置のうちの１つに組み込まれる、請求項１に記載の複数のデータ・セグメントに対するアクセスを提供する方法。